(57)【要約】  外装体(１)と、用紙(４０)を搬送方向(１１)に搬送するための搬送部と、用紙(４０)に印刷された情報部(４１)，(４２)を検出するための検出装置(３０)，(３１)を有する検出部(３)と、を備え、検出部(３)は、検出装置(３０)，(３１)を支持するための支持フレーム(３２)と、支持フレーム(３２)に設けられ、検出装置(３０)，(３１)の移動を案内するための案内レール(３３)と、外装体１と支持フレーム(３２)とに取り付けられ、支持フレーム(３２)を移動して外装体(１)から出し入れするための移動機構(３５)と、を備えており、搬送部(２)から搬送される用紙(４０)を検出するとき、支持フレーム(３２)を外装体１の内側に収納でき、案内レール(３３)に沿って検出装置(３０)，(３１)を移動するとき、支持フレーム(３２)を外装体(１)の外側に引き出すことができる。
2013046295.tif 000002
【特許請求の範囲】
【請求項１】
外装体と、  載置された複数の用紙を搬送方向に搬送するための搬送部と、  前記用紙に印刷された情報部を検出するための少なくとも１つの検出装置を有する検出部と、を備えた給紙装置において、  前記検出部は、  前記検出装置を支持するための支持フレームと、  前記支持フレームに設けられ、前記搬送方向に対して直角かつ水平方向に延設され、前記検出装置の移動を案内するための案内レールと、  前記外装体と前記支持フレームとに取り付けられ、前記搬送方向に対して直角かつ水平方向に前記支持フレームを移動して前記外装体から出し入れするための移動機構と、を備えており、  前記搬送部から搬送される前記用紙を検出するとき、前記支持フレームを前記外装体の内側に収納でき、  前記案内レールに沿って前記検出装置を移動するとき、前記支持フレームを前記外装体の外側に引き出すことができることを特徴とする給紙装置。
【請求項２】
前記支持フレームは、上側及び下側に平行に水平方向に延設された一対の横フレームと、左側及び右側に平行に垂直方向に延設された一対の縦フレームとからなり、  前記移動機構は、前記搬送方向に対して直角かつ水平方向に伸縮可能であって、一端側が前記外装体に取り付けられ、他端側が前記支持フレームに取り付けられた一対の伸縮アームからなり、前記一対の横フレームに取り付けられていることを特徴とする請求項１に記載の給紙装置。
【請求項３】
前記案内レールを前記支持フレームに対して着脱するための着脱部を備え、  前記着脱部は、  前記支持フレームに設けられ、前記搬送部から搬送される前記用紙に対して上側に前記案内レールを取り付けるための上側着脱部と、  前記支持フレームに設けられ、前記搬送部から搬送される前記用紙に対して下側に前記案内レールを取り付けるための下側着脱部と、を備えており、  前記案内レールを前記上側着脱部に取り付けるとき、前記用紙の上面に印刷された前記情報部を前記検出装置で検出でき、  前記案内レールを前記下側着脱部に取り付けるとき、前記用紙の下面に印刷された前記情報部を前記検出装置で検出できることを特徴とする請求項１又は２に記載の給紙装置。
【請求項４】
前記検出装置から照射される照射光を反射するための反射アームを備え、  前記反射アームは、前記上側着脱部及び前記下側着脱部に対して着脱可能になっており、前記支持フレームに取り付けられるとき、前記案内レールに対して平行に延設されることを特徴とする請求項３に記載の給紙装置。
【請求項５】
前記上側着脱部及び前記下側着脱部は、前記支持フレームから突出したピン形状に形成されており、前記案内レールに設けられた孔部に対して抜き差しされることを特徴とする請求項３に記載の給紙装置。
【請求項６】
前記反射アームは、前記検出装置の位置を認識するための目盛を有することを特徴とする請求項４に記載の給紙装置。
【発明の詳細な説明】
【技術分野】
【０００１】  本発明は、印刷機等から排出された用紙を製本機に供給するための給紙装置に関する。
【背景技術】
【０００２】  印刷機や複写機で印刷された複数の冊子分の用紙を積み重ね、積み重ねられた用紙を１枚ごとに搬送して、搬送された用紙を１冊分の用紙ごとに製本するシステムがある。このシステムは、複数の冊子分の用紙を積み重ね、積み重ねられた用紙を１枚ごとに搬送して、製本機に供給するための給紙装置を備える（例えば特許文献１参照）。【０００３】  上記のシステムでは、複数の冊子分の用紙が積み重ねられており、積み重ねられた用紙を１冊分ずつに区分して、１冊分ずつの用紙を製本機に供給する必要がある。そのため、用紙は、１冊分の先頭頁と最終頁とを示す情報部（マーク、バーコード、画像など）が印刷されており、給紙装置は、用紙に印刷された情報部を検出するための検出部を備える。給紙装置は、用紙に印刷された情報部を検出部で検出することで、搬送された用紙を１冊分の用紙ごとに製本機に供給する。【０００４】  例えば、１冊分の先頭頁を示す１つの情報部のみが用紙に印刷される場合、検出部は１つの検出装置を備え、１冊分の先頭頁と最終頁とを示す２つの情報部が用紙に印刷される場合、検出部は２つの検出装置を備える。これらの情報部は、用紙に印刷される内容に応じて、用紙の上面又は下面（表面又は裏面）の様々な位置に印刷される。従って、印刷された情報部を検出装置で検出できるように、印刷された情報部の位置に合わせて、検出装置を移動して配置しなければならない。【０００５】  しかし、従来の給紙装置は、検出装置を容易に位置調整できる構成になっておらず、給紙装置の内部には様々な複数の部品が配置されており、検出装置の位置を調整する際に、オペレーターは多大な手間や作業時間を必要としていた。また、従来の給紙装置は、検出装置の位置を正確に確認できる構成になっておらず、検出装置の位置が適切でない場合に、検出ミスを生じることがあった。
【先行技術文献】
【特許文献】
【０００６】
【特許文献１】特開２００５−１１９７９７号公報
【発明の概要】
【発明が解決しようとする課題】
【０００７】  そこで、本発明が解決しようとする課題は、検出装置の位置を容易に調整できると共に、検出装置の位置を正確に確認できる給紙装置を提供することである。
【課題を解決するための手段】
【０００８】  上記課題を解決するために、本発明に係る給紙装置は、  外装体と、  載置された複数の用紙を搬送方向に搬送するための搬送部と、  用紙に印刷された情報部を検出するための少なくとも１つの検出装置を有する検出部と、を備えた給紙装置において、  検出部は、  検出装置を支持するための支持フレームと、  支持フレームに設けられ、搬送方向に対して直角かつ水平方向に延設され、検出装置の移動を案内するための案内レールと、  外装体と支持フレームとに取り付けられ、搬送方向に対して直角かつ水平方向に支持フレームを移動して外装体から出し入れするための移動機構と、を備えており、  搬送部から搬送される用紙を検出するとき、支持フレームを外装体の内側に収納でき、  案内レールに沿って検出装置を移動するとき、支持フレームを外装体の外側に引き出すことができる。【０００９】  好ましくは、  支持フレームは、上側及び下側に平行に水平方向に延設された一対の横フレームと、左側及び右側に平行に垂直方向に延設された一対の縦フレームとからなり、  移動機構は、搬送方向に対して直角かつ水平方向に伸縮可能であって、一端側が外装体に取り付けられ、他端側が支持フレームに取り付けられた一対の伸縮アームからなり、一対の横フレームに取り付けられている。【００１０】  好ましくは、  案内レールを支持フレームに対して着脱するための着脱部を備え、  着脱部は、  支持フレームに設けられ、搬送部から搬送される用紙に対して上側に案内レールを取り付けるための上側着脱部と、  支持フレームに設けられ、搬送部から搬送される用紙に対して下側に案内レールを取り付けるための下側着脱部と、を備えており、  案内レールを上側着脱部に取り付けるとき、用紙の上面に印刷された情報部を検出装置で検出でき、  案内レールを下側着脱部に取り付けるとき、用紙の下面に印刷された情報部を検出装置で検出できる。【００１１】  好ましくは、  検出装置から照射される照射光を反射するための反射アームを備え、  反射アームは、上側着脱部及び下側着脱部に対して着脱可能になっており、支持フレームに取り付けられるとき、案内レールに対して平行に延設される。【００１２】  好ましくは、  上側着脱部及び下側着脱部は、支持フレームから突出したピン形状に形成されており、案内レールに設けられた孔部に対して抜き差しされる。【００１３】  好ましくは、  反射アームは、検出装置の位置を認識するための目盛を有する。
【発明の効果】
【００１４】  上記の通り、本発明に係る給紙装置は、外装体と、載置された複数の用紙を搬送方向に搬送するための搬送部と、用紙に印刷された情報部を検出するための少なくとも１つの検出装置を有する検出部と、を備える。検出部は、検出装置を支持するための支持フレームと、支持フレームに設けられ、検出装置の移動を案内するための案内レールと、外装体と支持フレームとに取り付けられ、搬送方向に対して直角かつ水平方向に支持フレームを移動して外装体から出し入れするための移動機構と、を備える。【００１５】  その結果、検出装置の位置を調整するときに、オペレーターは、検出装置を支持する支持フレームを外装体から引き出すことで、検出装置を案内レールに沿って容易に移動できるので、手間や作業時間を大幅に少なくできる。さらに、オペレーターは、支持フレームを外装体から引き出すことで、検出装置の位置を正確に確認でき、検出装置の不適切な配置に基づく検出ミスを防止できる。
【図面の簡単な説明】
【００１６】
【図１】本発明に係る給紙装置を示す側面図。
【図２】支持フレームを収納した状態の給紙装置を示す斜視図。
【図３】支持フレームを引き出した状態の給紙装置を示す斜視図。
【図４】支持フレームを示す正面図。
【図５Ａ】案内レールおよび反射アームを取り外した状態の支持フレームを示す斜視図。
【図５Ｂ】案内レールを下側に配置し、反射アームを上側に配置した状態の支持フレームを示す斜視図。
【発明を実施するための形態】
【００１７】  以下、添付図面に基づいて本発明に係る給紙装置について説明する。
【００１８】  図１の通り、給紙装置は、外装体１を備える。外装体１は、給紙装置の全体又は一部を覆っており、ハウジング部材又はフレーム部材で構成される。給紙装置は、外装体１の内部に搬送部２及び検出部３を収納している。搬送部２は、図示しない印刷機又は複写機で印刷された用紙束４を載置するための載置台２０を備える。載置台２０には、複数の冊子分の用紙束４が載置されている。
【００１９】  搬送部２は、載置台２０に載置された用紙束４の最上位置にある用紙４０を搬送方向１１に搬送するための一対の給紙ローラー２１を備える。一対の給紙ローラー２１は、ベルト２２が掛け渡されている。一対の給紙ローラー２１が回転することで、ベルト２２が回転するようになっている。ベルト２２の内部は、図示しない吸引装置によって吸引されて負圧になっており、ベルト２２に設けられた複数の孔部から用紙４０を吸引するようになっている。その結果、ベルト２２に吸引された用紙４０は、ベルト２２の回転によって搬送方向１１に搬送される。また、用紙束４の最上位置にある用紙４０を給紙ローラー２１で搬送できるように、用紙束４の最上位置にある用紙４０の高さが図示しないセンサーで検知され、その検知結果に基づいて載置台２０が昇降して、用紙束４の最上位置にある用紙４０の高さを調整するようになっている。
【００２０】  搬送部２は、一対の第１排出ローラー２３と、一対の第２排出ローラー２４とを備える。第１及び第２排出ローラー２３，２４は、搬送方向１１に沿って配置されている。一対の第１排出ローラー２３は、上側及び下側に対向して配置され、互いに回転する。一対の第２排出ローラー２４も、上側及び下側に対向して配置され、互いに回転する。給紙ローラー２１によって搬送された用紙４０は、先ず、一対の第１排出ローラー２３に挟まれて搬送方向１１に搬送され、続いて、一対の第２排出ローラー２４に挟まれて搬送方向１１に搬送される。第２排出ローラー２４によって搬送された用紙４０は、給紙装置から排出されて、後工程となる図示しない製本装置に供給される。
【００２１】  給紙装置は、第１排出ローラー２３と第２排出ローラー２４との間に、検出部３を備える。検出部３は、第１検出装置３０と、第２検出装置３１とを備える。上記の通り、載置台２０には、複数の冊子分の用紙束４０が載置されている。従って、搬送される用紙４０が一冊の先頭頁又は最終頁か否か認識して、一冊分ごとに図示しない製本装置に供給して製本する必要がある。そのため、用紙４０には、一冊の先頭頁又は最終頁を認識するための情報部が印刷されており、その情報部を検出装置３０，３１が検出する。
【００２２】  図２の通り、用紙４０が一冊の先頭頁である場合、用紙４０には情報部としての第１マーク４１が印刷される。また、用紙４０が一冊の最終頁である場合、用紙４０には情報部としての第２マーク４２が印刷される。第１検出装置３０は、用紙４０に印刷された第１マーク４１を検出すると、第１排出ローラー２３から搬送される用紙４０が一冊の先頭頁であると認識する。また、第２検出装置３１は、用紙４０に印刷された第２マーク４２を検出すると、第１排出ローラー２３から搬送される用紙４０が一冊の最終頁であると認識する。
【００２３】  検出装置３０，３１が、第２マーク４２（最終頁）を検出した後に第１マーク４１（先頭頁）を検出しない場合などには、用紙４０の最終頁の後に用紙４０の先頭頁が連続して搬送されていないので、給紙エラーを発信して給紙装置を停止する。このように、本実施形態では、２つの検出装置３０，３１で用紙４０の先頭頁及び最終頁を検出するので、給紙エラーの検出精度を向上できる。
【００２４】  検出装置３０，３１は、マーク４１，４２に向けて照射光を照射して、反射した反射光の光量を検出することで、用紙４０の先頭頁及び最終頁を認識する。従って、用紙４０の上面に第１及び第２マーク４１，４２が印刷されている場合、第１及び第２検出装置３０，３１は、用紙４０の上方に配置される。また、用紙４０が搬送される際に、第１検出装置３０は、第１マーク４１が第１検出装置３０の真下を通過するように配置され、第２検出装置３１は、第２マーク４２が第２検出装置３１の真下を通過するように配置される。
【００２５】  図２及び図３の通り、第１及び第２検出装置３０，３１は、支持フレーム３２に支持されている。支持フレーム３２は、上側及び下側に配置され、水平方向に平行に延設された一対の横フレーム３２０と、左側及び右側に配置され、垂直方向に平行に延設された一対の縦フレーム３２１とからなる。支持フレーム３２は、一対の横フレーム３２０及び一対の縦フレーム３２１によって長方形に形成され、長方形の内側を用紙４０が通過するようになっている。これによって、用紙４０は、第１搬送ローラー２３で搬送方向１１に搬送されて、支持フレーム３２の内側を通過して、第２搬送ローラー２４で給紙装置から排出される。
【００２６】  図２〜図４の通り、案内レール３３は、支持フレーム３２に取り付けられている。案内レール３３は、一対の横フレーム３２０に対して平行に延設されており、搬送方向１１に対して直角かつ水平方向３２３に延設される。検出装置３０，３１は、案内レール３３に沿って左右方向にスライドできるように設けられる。マーク４１，４２は、用紙４０に印刷される内容に応じて様々な位置に印刷されるので、検出装置３０，３１をマーク４１，４２の位置に合うように調整できる。
【００２７】  さらに、反射アーム３４が、支持フレーム３２に取り付けられ、案内レール３３の下側に配置されている。反射アーム３４は、案内レール３３に平行に延設される。また、反射アーム３４の上面は、検出装置３０，３１から照射される照射光を反射するように配置される。また、反射アーム３４は、正面に検出装置３０，３１の位置を確認するための目盛が設けられている。検出装置３０，３１の位置を調整する際に、反射アーム３４に設けられた目盛を使って、検出装置３０，３１の真下に用紙４０のマーク４１，４２が通過するように配置する。
【００２８】  検出部３は、搬送方向１１に対して直角かつ水平方向３２３に支持フレーム３２を移動するための移動機構３５を備える。支持フレーム３２は、移動機構３５によって外装体１から出し入れすることができる。本実施形態では、外装体１はハウジング部材からなり、支持フレーム３２は、外装体１の側面に設けられた開口部１２を通って外装体１を出入りする（図２及び図３参照）。
【００２９】  移動機構３５は、上側及び下側に配置され、搬送方向１１に対して直角かつ水平方向３２３に伸縮可能な一対の伸縮アームで構成されている。一対の伸縮アーム３５は、支持フレーム３２の横フレーム３２０に取り付けられた第１固定レール３５１と、外装体１に取り付けられた第２固定レール３５２と、第１及び第２固定レール３５１，３５２の間に設けられたスライダー３５０とを備える。スライダー３５０は、第１及び第２固定レール３５１，３５２に沿ってスライドするようになっている。従って、伸縮アーム３５は、第１レール３５１、スライダー３５０及び第２レール３５２が重なることで縮められ、スライダー３５０が第１及び第２レール３５１，３５２に沿ってスライドすることで伸ばされる。
【００３０】  伸縮アーム３５を縮めて、支持フレーム３２を外装体１の内側に収納することで、検出装置３０，３１が用紙４０のマーク４１，４２を検出できる。さらに、伸縮アーム３５を伸ばして、支持フレーム３２を外装体１の外側に引き出すことで、オペレーターは外装体１の外側で検出装置３０，３１の位置を調整できる。従って、用紙４０に印刷されたマーク４１，４２の位置が変更された場合、オペレーターは、支持フレーム３２を外装体１の外側に引き出して、外装体１の外側で検出装置３０，３１の位置を確認しながら案内レール３３に沿って移動できる。オペレーターは、外装体１の外側で作業できるので、検出装置３０，３１の位置を容易に調整できると共に、検出装置３０，３１の位置を正確に確認できる。また、支持フレーム３２を外装体１から出し入れしやすいように、支持フレーム３２にはハンドル３２２が設けられている。
【００３１】  図５の通り、支持フレーム３２は、案内レール３３を支持フレーム３２に対して着脱するための着脱部３６，３７を備えている。着脱部３６，３７は、上側に配置された一対の上側着脱部３６と、下側に配置された一対の下側着脱部３７とを含む。上側着脱部３６及び下側着脱部３７は、支持フレーム３２の縦フレーム３２１に上下方向に所定間隔を置いて設けられ、正面側に突出するピン形状に形成されている。また、案内レール３３は、両端側に着脱部材３６，３７を挿通できる一対の孔部３３０を備え、反射アーム３４も、両端側に着脱部材３６，３７を挿通できる一対の孔部３４０を備える。その結果、孔部３３０，３４０を上側及び下側着脱部３６，３７に対して抜き差しでき、案内レール３３及び反射アーム３４を支持フレーム３２に対して簡単に着脱できる。
【００３２】  用紙４０に印刷されるマーク４１，４２は、用紙４０の印刷内容に応じて、用紙４０の下面に印刷される場合がある。その場合、上側に配置された案内レール３３と下側に配置された反射アーム３４とを支持フレーム３２から取り外す（図５（Ａ）参照）。そして、案内レール３３を下側に配置し、検出装置３０，３１の照射光が上側に照射されるように、案内レール３３の上下をひっくり返して、案内レール３３を支持フレーム３２に取り付ける（図５（Ｂ）参照）。さらに、反射アーム３４を上側に配置して、支持フレーム３２に取り付ける（図５（Ｂ）参照）。この作業の際、オペレーターは、支持フレーム３２を外装体１から引き出すことで、案内レール３３及び反射アーム３４の配置を容易に変更できる。
【００３３】  なお、上記実施形態では、移動機構３５は、第１及び第２固定レール３５１，３５２とスライダー３５０とを備えた伸縮アームからなるが、支持フレーム３２を外装体１から引き出すことができる他の機構でもよい。例えば、移動機構３５は、支持フレーム３２に取り付けられた第１固定レール３５１と、外装体１に取り付けられた第２固定レール３５２とからなり、第１固定レール３５１と第２固定レール３５２とが互いにスライド可能に係合するものでもよい。
【００３４】  また、上記実施形態では、検出装置３０，３１は、用紙４０に印刷されたマーク４１，４２に対して照射光を照射して、その反射光を検出するタイプであるが、用紙４０の情報部を検出できる他のタイプでもよい。例えば、用紙４０の先頭頁及び最終頁を識別するための情報部がバーコードの場合、検出装置３０，３１はバーコードリーダーからなる。また、用紙４０に印刷された内容に基づいて用紙４０の先頭頁及び最終頁を識別する場合、検出装置３０，３１はＣＣＤカメラなどからなり、取得した画像データと記憶データとを比較して識別する。なお、用紙４０の先頭頁及び最終頁の一方のみを検出する場合、マークなどの情報部及びその情報部を検出する検出装置は１つである。
【００３５】  また、上記実施形態では、着脱部３６，３７は、ピン形状の着脱部材３６，３７と孔部３３０，３４０とからなるが、案内レール３３及び反射アーム３４を支持フレーム３２に対して簡単に着脱できる他の機構でもよい。例えば、弾力性の有する板を使って案内レール３３及び反射アーム３４を支持フレーム３２に対して着脱可能に係止してもよい。また、ベルベット式ファスナーやボルト部材などを用いて着脱してもよい。
【符号の説明】
【００３６】１  外装体２  搬送部３  検出部１１  搬送方向３０，３１  検出装置３２  支持フレーム３２０  横フレーム３２１  縦フレーム３３  案内レール３４  反射アーム３５  移動機構（伸縮アーム）３６  上側着脱部３７  下側着脱部４０  用紙４１，４２  マーク（情報部）３３０  案内レールの孔部３４０  反射アームの孔部
【図１】
2013046295.tif 000003
【図２】
2013046295.tif 000004
【図３】
2013046295.tif 000005
【図４】
2013046295.tif 000006
【図５Ａ】
2013046295.tif 000007
【図５Ｂ】
2013046295.tif 000008
【国際調査報告】
2013046295.tif 000009
2013046295.tif 000010
2013046295.tif 000011
2013046295.tif 000012